(57)【要約】【課題】記録媒体に記録してあるコンテンツの登録認証を容易にして、販売ショップに行かなくてもコンテンツが複製出来る記録媒体の顧客還元サービス方法を提供する。【解決手段】配信センタ１から送信されてくるコンテンツ情報を販売ショップ２で記録媒体に記録すると共にＩＣタグの付加及びＩＣタグに記載されている登録情報を配信センタ２に送信する一方、顧客３がＩＣタグを付加した記録媒体を販売ショップ２から購入して、記録媒体のコンテンツが劣化した場合に、顧客３がコンテンツと同一のものを得ることができる顧客還元サービス方法において、ＩＣタグに記載されている登録情報に基づいて、配信センタ２からアクセス権登録ＩＤを受信し、記録媒体のコンテンツ情報が劣化した場合には、アクセス権登録ＩＤに基づいて配信センタ２からコンテンツ情報と同一のものを受信して、顧客３が新たな記録媒体に記録を行う。【選択図】      図１
2006059140.tif 000002
【特許請求の範囲】
【請求項１】
配信センタから送信されてくるコンテンツ情報を販売ショップで記録媒体に記録すると共にＩＣタグの付加及び前記ＩＣタグに記載されている登録情報を前記配信センタに送信する一方、顧客が前記ＩＣタグを付加した前記記録媒体を前記販売ショップから購入して、前記記録媒体のコンテンツが劣化した場合に、前記顧客が前記コンテンツと同一のものを得ることができる顧客還元サービス方法において、
前記ＩＣタグに記載されている登録情報に基づいて、前記配信センタからアクセス権登録ＩＤを受信し、
前記記録媒体のコンテンツ情報が劣化した場合には、前記アクセス権登録ＩＤに基づいて前記配信センタから前記コンテンツ情報と同一のものを受信して、前記顧客が前記新たな記録媒体に記録を行うことを特徴とする顧客還元サービス方法。
【発明の詳細な説明】
【技術分野】
【０００１】
本発明は、認証デバイス付き光ディスク等の記録媒体(以下記録媒体と略す)販売、記録媒体用包装ジャケット、記録媒体用商品認識ラベル、記録媒体用記録再生装置端末、記録媒体用付帯サービス等の顧客還元サービス方法に関するものである。
【背景技術】
【０００２】
従来から、音楽ＣＤ等コンテンツについて、海賊版の流通、違法コピーが社会問題になっている。そしてコンテンツを記録してある音楽ＣＤ等のディスクにおいては耐久性に限界があり、またディスクの破損や紛失等も考慮すると、バックアップが必要である。従って、このバックアップを保有していないとコンテンツを２度と楽しめない状態に陥ることがある。
【０００３】
このため、記録媒体そのものを自然劣化や紛失した場合、再入手するためには正規購入使用者であることを予め登録認証していなければならない。例えば、登録認証の手続きは、業者へ指定はがきを郵送したり、ジャケット裏面の「個人ＩＤ」の英数字をインターネット経由でやはり業者へ送ったりして、行っており、これらの手続きとしてはセキュリティを高めるため煩雑な場合が多くしかも個人情報が漏れやすいのが現状である。
この正規購入使用者であることを登録認証するためには、出来るだけ安全性の高い機関に登録して、必要時に使用者の個人情報と登録機関の情報を照合する必要がある。
【０００４】
このような登録認証をしても、記録媒体を複製する際に記録媒体自体の認証が必要で記録媒体が無いとコンテンツを複製できない、販売ショップの光メディア販売装置を利用しないと複製できないと言った状況である。このような状況を、図３に示す従来の記録媒体そのものを自然劣化した場合の再入手システム例を示し説明する。
【０００５】
まず、配信センタ１からコンテンツ配信を販売ショップ２に対して行い（Ｓ１）、販売ショップ２では配信されたコンテンツをＣＤに記録して顧客３に販売し、防犯用に付加したＩＣタグを回収する（Ｓ２）。そしてＣＤを購入した顧客３はＣＤを実使用する（Ｓ１０）。
【０００６】
次に実使用しているＣＤが自然劣化し実使用が不可能になった場合、顧客３はＣＤを販売ショップ２に持参し（Ｓ１１）、販売ショップ２に設置してある光メディア販売装置にＣＤを挿入し販売ショップ２から顧客３が正規に購入したＣＤであることを認証チェックする（Ｓ１２）。その結果ＣＤが自然劣化であると確認（Ｓ１３）された場合、販売ショップ２から顧客３に確認ＯＫを報告し顧客３からはこの報告に基づいてＣＤの複製依頼を販売ショップに対して行う（Ｓ１４）。
【０００７】
顧客３からＣＤの複製を依頼された販売ショップ２はコンテンツの配信依頼を配信センタ１に対して行う（Ｓ１５）。そして配信センタ１からはコンテンツ配信が販売ショップ２に対して行われ（Ｓ１６）、販売ショップ２では配信されたコンテンツを販売ショップ２の光メディア販売装置に書き込み（Ｓ１７）、この情報をＩＣタグに書き込み（Ｓ１８）、新しいＣＤにコンテンツを書き込む（Ｓ１９）。そして顧客３に新しいＣＤを渡すと共にＩＣタグを回収し顧客３から販売ショッブ２はコンテンツの複製費用を受け取る。
【０００８】
このようにしてＩＣタグは防犯用に用い、ＣＤの自然劣化によるコンテンツの再入手は、自然劣化したＣＤを販売ショップ２に持参して行わなければならず、煩雑で不便であった。
【０００９】
一方、現代のリスクマネジメント（情報セキュリティ）の視点から、海賊版の流通、違法コピー等の不法行為防止のため、様々な認証方法が実施されている。
例えば、特許文献１に、販売するＩＣタグ（認証デバイス）付きＣＤ（光ディスク等の記録媒体）のデータ未記録部分に、光メディア販売装置によりユーザが選択する追加の楽曲を記録し、ＩＣタグにＣＤに追加記録した楽曲の情報を記録しておき、ＣＤが自然劣化した場合には、ＩＣタグに追加記録された楽曲の情報を含めて、ＣＤの複製版を作成し、バックアップを保有していなくとも購入した記録媒体の複製が可能な提案がなされていた。
【特許文献１】特開２００３−３１６９６６号公報
【発明の開示】
【発明が解決しようとする課題】
【００１０】
しかしながら、上述した記録媒体に記録してあるコンテンツとともに追加記録した楽曲の情報をＩＣタグに記憶して複製を行おうとする際には、販売ショップでの登録認証が煩雑であったり販売店の光メディア販売装置を使用しないと複製できなかったりと言う問題点があった。
【００１１】
そこで本発明は、上記のような問題点を解消するためになされたもので、記録媒体に記録してあるコンテンツの登録認証を容易にして、販売店の光メディア販売装置を使用しなくてもコンテンツが複製出来る認証デバイス付き記録媒体の顧客還元サービス方法を提供することを目的とする。
【課題を解決するための手段】
【００１２】
上記目的を達成するための手段として、第１の発明による認証デバイス付き記録媒体の顧客還元サービス方法は、配信センタから送信されてくるコンテンツ情報を販売ショップで記録媒体に記録すると共にＩＣタグの付加及び前記ＩＣタグに記載されている登録情報を前記配信センタに送信する一方、顧客が前記ＩＣタグを付加した前記記録媒体を前記販売ショップから購入して、前記記録媒体のコンテンツが劣化した場合に、前記顧客が前記コンテンツと同一のものを得ることができる顧客還元サービス方法において、前記ＩＣタグに記載されている登録情報に基づいて、前記配信センタからアクセス権登録ＩＤを受信し、前記記録媒体のコンテンツ情報が劣化した場合には、前記アクセス権登録ＩＤに基づいて前記配信センタから前記コンテンツ情報と同一のものを受信して、前記顧客が前記新たな記録媒体に記録を行うことを特徴とする顧客還元サービス方法を提供するものである。
【発明の効果】
【００１３】
本発明によれば、記録媒体に記録してあるコンテンツの再生が自然劣化や破損で困難になり、複製が必要になった時に、顧客が記録媒体を購入した販売ショップへ行かなくても、容易にコンテンツを入手して複製出来るシステムである。
【発明を実施するための最良の形態】
【００１４】
以下に本発明の実施形態に係る認証デバイス付き記録媒体の顧客還元サービス方法について図１と図２とを用いて説明する。図１は本発明の実施形態における認証デバイス付き記録媒体の顧客還元サービス方法の構成を示す図である。図２はアクセス権の手続きとアクセス権の行使を示す図であり、（Ａ）はアクセス権の手続きを示す図であり、（Ｂ）はアクセス権の行使を示す図である。
【００１５】
図１に示すように本発明の実施形態に係る認証デバイス付き記録媒体の顧客還元サービス方法は、配信センタ１から送信されてくるコンテンツ情報を販売ショップ２で記録媒体に記録すると共にＩＣタグの付加及びＩＣタグに記載されている登録情報を配信センタ２に送信する一方、顧客３がＩＣタグを付加した記録媒体を販売ショップ２から購入して、記録媒体のコンテンツが劣化した場合に、顧客３がコンテンツと同一のものを得ることができる顧客還元サービス方法において、ＩＣタグに記載されている登録情報に基づいて、配信センタ２からアクセス権登録ＩＤを受信し、記録媒体のコンテンツ情報が劣化した場合には、アクセス権登録ＩＤに基づいて配信センタ２からコンテンツ情報と同一のものを受信して、顧客３が新たな記録媒体に記録を行う顧客還元サービス方法である。
【００１６】
すなわち、配信センタ１から販売ショップ２へコンテンツ配信を行い（Ｓ１）、販売ショップ２では配信されたコンテンツを光メディア販売装置で顧客３の要望に従いコンテンツを選択してＣＤに記録しＣＤ販売を行う（Ｓ２）。そしてＩＣタグにコンテンツ情報と顧客３の購入日を書き込みＣＤに付加して顧客３に販売する（Ｓ３）。このとき販売ショップ２では販売履歴を記録し、この記録を配信センタに送り販売登録を行う（Ｓ４）。
【００１７】
配信センタ１では販売記録を基に登録通知書を顧客３に配送する（Ｓ５）。登録通知書を入手した顧客３は購入したＣＤのコンテンツのアクセス権手続きを配信センタ１に対して行う（Ｓ５−１）。配信センタ１では顧客３のアクセス権手続きに基づきアクセス権を登録する（Ｓ５−２）。このとき顧客３は同時にＣＤに付加されているＩＣタグに記録されているコンテンツ情報と顧客３の購入日の情報も同時にアクセス権登録情報として添付する。そして配信センタからはアクセス権登録後、アクセス権登録ＩＤを顧客３に通知する。
【００１８】
そして、顧客３がＣＤを実使用することによりＣＤが自然劣化する（Ｓ６）。そして顧客３はアクセス権行使を配信センタ１に対してアクセス権登録ＩＤを添付して通知する（Ｓ６−１）。配信センタ１では顧客３のアクセス権行使の通知によりアクセス権登録ＩＤの正規検証を行い（Ｓ６−２）、認証が正しければコンテンツ配信を顧客３に対して行う。顧客３では配信されたコンテンツを貯蔵用媒体、装置に記録した後ＣＤに複製する。
【００１９】
このようにして、顧客３はＣＤ購入後、配信センタ１にアクセス権を登録しておけばＣＤが自然劣化した時にアクセス権を行使することにより販売ショップ２に行かなくてもＣＤを容易に複製することが出来る。
【００２０】
図２（Ａ）に示すように、アクセス権手続きは、顧客３からＰＣ４を介しアクセス権登録情報を配信センタ１に送ってアクセス権登録を行うと、配信センタ１からはアクセス権登録終了後アクセス権登録ＩＤが送られてくるのでこれをＰＣ４内のメモリに記憶する。
この顧客３から配信センタ１に送るアクセス権登録情報としては、配信センタ１から送られてきた登録通知書、販売ショップでＣＤを購入する際に付加されたＣＤ用ＩＣタグ、ジャケット用ＩＣタグ、そして顧客３の所有するメールアドレス等の端末情報等がある。
【００２１】
そして図２(Ｂ)に示すようにＣＤが自然劣化し、或いは破損してアクセス権を行使するときは、顧客３からアクセス権登録ＩＤをＰＣ４により配信センタ１に送り、配信センタ１に於いては登録されたアクセス権と送られてきたアクセス権登録ＩＤとを認証し、確認されると登録されているコンテンツデータが顧客３に配送される。このコンテンツデータをＰＣ４に接続されているコンテンツ記録媒体用記録装置５に記憶した後、所定の記録媒体にコンテンツを複製する。このコンテンツを複製した記録媒体を記録媒体再生装置６で再生することにより自然劣化したＣＤに記録されていたコンテンツを再現することが出来る。
【００２２】
このようにして、ＣＤ等の記録媒体に記録してあるコンテンツの再生が自然劣化や破損で困難になり、複製が必要になった時に、顧客３が記録媒体を購入した販売ショップ２へ行かなくても、予め登録しておいたアクセス権登録ＩＤを配信センタ１に送れば、配信センタ１に登録されているＩＣタグに記録されたコンテンツ情報により記録媒体に記録してあったコンテンツを容易に再入手して複製することが出来る。
【図面の簡単な説明】
【００２３】
【図１】本発明の実施形態における認証デバイス付き記録媒体の顧客還元サービス方法の構成を示す図である。
【図２】アクセス権の手続きとアクセス権の行使を示す図であり、（Ａ）はアクセス権の手続きを示す図であり、（Ｂ）はアクセス権の行使を示す図である。
【図３】従来の認証デバイス付き記録媒体における顧客還元サービス方法の構成を示す図である。
【符号の説明】
【００２４】
１・・・配信センタ、２・・・販売ショップ、３・・・顧客、４・・・ＰＣ、５・・・コンテンツ記録媒体用記録装置、６・・・記録媒体用再生装置
【図１】
2006059140.tif 000003
【図２】
2006059140.tif 000004
【図３】
2006059140.tif 000005